(57)【要約】【課題】使い勝手が良く、品質の維持、コンパクト性の向上及び低コスト化を図ること。【解決手段】座部１０の後方に配設した接続芯部４０を背凭部２０の背凭本体フレーム部２１の管材内に挿入し、背凭本体フレーム部２１の切欠部２１ｃに取付けた弾接挟持具５２で背凭本体フレーム部２１の管材内に挿入された接続芯部４０を弾接的に挟持して拘束することによって座部１０と背凭部２０を装着し、弾性力に抗した外力によってその拘束状態を解除し背凭本体フレーム部２１の管材内から接続芯部４０を抜き出すことで座部１０と背凭部２０を分離可能とした。【選択図】図２
2013215319.tif 000002
【特許請求の範囲】
【請求項１】
臀部を受ける座部と、
前記座部の後方で着脱され、前記座部に臀部を乗せた人の背凭れとなる背凭部と、
前記座部の後方で前記背凭部を着脱自在にしてなる連結部と
を具備することを特徴とする分離型座椅子。
【請求項２】
前記連結部は、前記座部に対して着脱自在な前記背凭部が、前記座部の後方で接続された状態で固定する接続固定部を有することを特徴とする請求項１に記載の分離型座椅子。
【請求項３】
前記連結部は、前記座部の後方に配設した柱状の接続芯部が、前記背凭部の下部に配設した筒状の接続受部に挿脱自在としたことを特徴とする請求項１または請求項２に記載の分離型座椅子。
【請求項４】
前記連結部は、前記背凭部の下部に配設した柱状の接続芯部が、前記座部の後方に配設した筒状の接続受部に挿脱自在としたことを特徴とする請求項１または請求項２に記載の分離型座椅子。
【請求項５】
前記接続固定部は、前記連結部に対して弾接的に挟持する拘束部材によって、前記連結部を所定位置に拘束し、前記拘束部材の弾性力に抗する外力によって、その拘束状態を解除可能としたことを特徴とする請求項３または請求項４に記載の分離型座椅子。
【請求項６】
前記座部と前記背凭部は、前記座部に対して前記背凭部を傾動自在としたことを特徴とする請求項１乃至請求項５の何れか１つに記載の分離型座椅子。
【請求項７】
前記座部及び前記背凭部は、それぞれ骨格を形成する管材からなるフレームにクッション材を取付け、更に、全体を表被材で被覆してなることを特徴とする請求項１乃至請求項６の何れか１つに記載の分離型座椅子。
【請求項８】
前記連結部は、前記背凭部の下部に配設した柱状の接続芯部が、前記座部の後方に配設した筒状の接続受部との結合状態が背側表皮材で外部から確認できないようにしたことを特徴とする請求項１乃至請求項６の何れか１つに記載の分離型座椅子。
【発明の詳細な説明】
【技術分野】
【０００１】
本発明は、移動、梱包、収納等の際にコンパクトにできる座椅子に関するもので、特に、座部及び背凭部を着脱自在に構成した分離型座椅子に関するものである。
【背景技術】
【０００２】
従来、移動、梱包、収納等の際の利便性を考慮して、臀部を載せる座部に向けて背中を凭せ掛ける背凭部を傾倒して折り畳むことでコンパクトにできる座椅子が開発されている。
例えば、特許文献１には、座部フレームに結合するリクライニング部材に所定長さの接続杆を結合し、この接続杆に、背部フレームを接続杆と同方向に起立する起立位置と、接続杆に対して座部フレーム側に倒伏する折り畳み位置とに揺動可能に支持すると共に、背部フレームを起立位置で保持し、この保持力以外の外力で折り畳み位置への揺動を可能にする保持機構を設けた座椅子が記載されている。
【０００３】
この特許文献１の記載によれば、座部フレームに対する背部フレームの揺動支点を座部フレームの上方へ位置させることができるので、折曲に際して背体のクッション材が座体のクッション材に接当することなく背体を座体に対して難なく折り畳むことができ、座部の不使用時、座体に対して背体を畳めば、狭いスペースであっても座椅子の収納が可能となるとしている。
【先行技術文献】
【特許文献】
【０００４】
【特許文献１】実公平０１−００６１３３号公報
【発明の概要】
【発明が解決しようとする課題】
【０００５】
しかしながら、特許文献１の折り畳み構造を有する座椅子においては、座部に対して背凭れを折り畳む支点が所定長さの接続によって背凭れ側に座面後端部から離れて位置し、通常、この折り畳み支点の付近は、容易に折曲できるようにフレームにクッション材を薄く配置してまたは全く配置せず表皮材を被覆されるが、折り畳みによって折曲付近の表皮材に皺が生じ易く見栄えが損なわれたり、その周辺のクッション材の弾力性が失われ易く使用感が損なわれたりしていた。
【０００６】
また、リクライニング部材の上方に折り畳み支点が位置することから、特に、リクライニング部材にラチェット機構等が使用されている場合には、リクライニング操作の際に折り畳み支点が折曲しないように背凭部を座部側に起こすという気を遣う操作が必要であった。また、着座中に不用意に後方から折曲点に力が加えられた場合には、折曲してしまうこともあった。即ち、座椅子使用時の使い勝手に不便さがあった。
更に、大きな厚みを有するクッション性が高いものを使用する際には、折曲付近において背体のクッション材が座体のクッション材に当接しないように接続杆の長さを長くして、折り畳み支点を座面後端部から大きく離れた位置の背凭れ側に設定する必要があることから、折り畳んだ際に接続の長さ分だけ嵩高くならざるを得なかった。
【０００７】
加えて、このような折り畳み構造を有する座椅子を含む従来の一般的な座椅子においては、座部の骨格を構成するフレームと背凭部の骨格を構成するフレームとが、座部に対する背凭れの角度調節(リクライニング)をするためのラチェットギヤ式、ガススプリング式等の角度調節具や、折り畳み式のものにあっては、座部に対して背凭れを折り畳み可能とするための折曲具をも介して一体に成形されるものであるから、その組み立てに広いスペースを確保する必要がある。そして、特許文献１に記載されたものを始めとする折り畳み構造の座椅子においては、座部に対して背凭れを折り畳み可能とするための折曲具による作業が必要となり、また、この種の座椅子においては、製品コストを抑えるのが困難である。
殊に、このような座椅子は、座部と背凭部が一体となっていたから、搬送時に折り畳んでも、それらの容積が座部と背凭部の和となる程度に最小にすることができなかった。したがって、通常は１．５〜２倍程度の容積の箱に入れて搬送しているのが現状である。
【０００８】
そこで、本発明は、かかる不具合を解決すべくなされたものであって、搬送コストが低減でき、使い勝手が良く、品質の維持、コンパクト性の向上及び低コスト化を図ることができる分離型座椅子の提供を課題とするものである。
【課題を解決するための手段】
【０００９】
請求項１の発明の分離型座椅子は、臀部を受ける座部の後方に、前記座部に臀部を乗せた人の背凭れとなる背凭部を連結部によって着脱自在にしたものである。
ところで、上記座部は、人が着座する部分であり、人の体重を支える部分を構成するものである。
また、上記背凭部は、前記座部の後方に接続され、前記座部に着座した人の上半身を凭れ掛けさせる部分であり、その受けた力が前記座部に伝えられる。
なお、上記座部の後方での前記背凭部との接続は、前記座部と前記背凭部との位置関係を特定するものである。
【００１０】
そして、上記座部の後方に前記背凭部を着脱自在とした連結部は、分離型座椅子の使用時において前記座部の後方に前記背凭部を機械的に接続し、移動または搬送時や収納時等において前記座部と前記背凭部の接続を解いて前記座部と前記背凭部を分離可能とするものであり、例えば、嵌合や係合等の手段によって着脱自在とすることができ、安定した取付状態を維持できるものの使用が望ましい。前記座部と前記背凭部が固定されていなくても、少ない移動時にはこの組み付け状態での移動が可能である。
【００１１】
請求項２の発明の分離型座椅子の前記連結部は、前記座部に対して前記背凭部の着脱を固定する接続固定部を具備するものである。
ところで、上記接続固定部は、前記座部と前記背凭部の取付けに際して安定した取付状態が維持できるようにし、かつ、無理なく前記座部と前記背凭部の接続状態を解除できるようにするものであればよく、例えば、螺子や弾接挟持具等の接続固定部によって前記座部と前記背凭部の連結状態を固定してもよいし、前記座部と前記背凭部を嵌合や係合等によって機械的に係止させてもよいし、磁気等によって物理的に前記座部と前記背凭部の接続状態を拘束させてもよい。また、前記連結部と一体の構成とすることもできるし、複数の部品の組付けで構成することもできる。
【００１２】
請求項３の発明の分離型座椅子の前記連結部は、前記座部の後方に配設した接続芯部を前記背凭部の端部に配設した接続受部に挿脱自在にしたものである。
ここで、上記接続受部は、前記座部の後方に配設した接続芯部が挿脱自在に取付けられるもので、通常、管材によって構成され、この管材内の中空部分からなる接続受部に前記接続芯部が挿脱自在になるものである。接続芯部は円柱状でも、三角柱、四角柱等の多角柱でもよいし、接続受部は当該接続芯部が挿通自在であればよい。
【００１３】
請求項４の発明の分離型座椅子の前記連結部は、前記背凭部の端部に配設した接続受部を前記座部の後方に配設した接続芯部に挿脱自在としたものである。
ここで、上記接続受部は、前記背凭部の端部に配設した連結部が挿脱自在とされるもので、通常、管材によって構成され、この管材内の中空部分からなる接続受部に前記接続芯部が挿脱自在になるものである。接続芯部は円柱状でも、三角柱、四角柱等の多角柱でもよいし、接続受部は当該接続芯部が挿通自在であればよい。
【００１４】
請求項５の発明の分離型座椅子の前記接続固定部は、前記連結部に対して弾接的に挟持するように形成された拘束部材によって前記接続受部に挿入された前記接続芯部を所定位置に拘束させ、弾性力に抗する外力によってその拘束状態を解除可能としたものである。
ここで、上記拘束部材は、前記連結部に対して弾接挟持するように形成され、前記接続受部に挿入された前記接続芯部を外力によって容易に移動しない程度に弾接的に挟持し、所定位置に拘束するものであり、前記接続芯部を挟持する弾性力に抗する外力によってその拘束状態が解除可能とされるものである。
【００１５】
請求項６の発明の分離型座椅子は、前記座部に対して前記背凭部を傾動自在としたものであり、リクライニング機構を有するものである。
なお、上記座部に対する前記背凭れ部の傾動は、座部と背凭部が略平面状態から略直角状態まで変化できるように、座部と背凭部との角度が略０度乃至１８０度以内とし、傾動角度を略０度乃至９０度の範囲外の略９０度乃至１８０度の範囲とすることが望ましい。
【００１６】
請求項７の発明の分離型座椅子の前記座部及び背凭部は、それぞれ骨格を形成する管材からなるフレームにクッション材を取付け、更に、それらを表皮材で被覆してなるものである。
ところで、上記骨格を形成する管材からなるフレームは、通常、管材で形成される２辺以上によって外周を形成するものである。
また、上記クッション材は、それ自体のクッション性のみを使用するものであってもよいし、座部または背凭部の構成を使用するものであってもよく、両者を使用するものであってもよい。
【００１７】
請求項８の発明の分離型座椅子の前記連結部は、前記背凭部の下部に配設した接続芯部が、前記座部の後方に配設した接続受部との結合状態が背側表皮材で外部から確認できないようにしたものである。
ここで、背側表皮材で前記背凭部の下部に配設した接続芯部が、前記座部の後方に配設した接続受部との結合状態が確認できないものであればよく、背側表皮材で単に覆っておくだけでも良い。
【発明の効果】
【００１８】
請求項１の発明にかかる分離型座椅子は、連結部によって臀部を受ける座部の後方に背凭れとなる背凭部を着脱自在とするものである。
このように、座部と背凭部を別体に構成して着脱自在としたことから、座部と背凭部を接続することで座椅子として使用されるが、移動、梱包、収納等の搬送際には、座部と背凭部を分離状態とすることで互いに重ね合わせることができ、コンパクトにできる。このため、運搬や梱包が容易かつ低コストで済んだり、省スペースで収納・格納できたり、収納や保管等のための持ち運び時の取扱いも容易にできたりし、運搬・梱包、収納・格納、持ち運び、保存管理の際の利便性が高い。
【００１９】
そして、座部と背凭部を互いに重ね合わせることでコンパクトにできるものであるから、表皮材やクッションを使用した場合であっても従来の折曲構造のようにコンパクト化によって表皮材に皺が生じて見栄えが損なわれたり、クッション材の弾力性が失われ使用感が損なわれたりすることはなく、品質を長期に亘って維持できる。
また、座部と背凭部を着脱自在に構成することで、従来の折曲によってコンパクト化を図る構造のようにリクライニング操作の際や着座している時に不用意に折曲されてしまうこともなく、使用時の使い勝手が良好である。
更に、座部と背凭部を着脱自在に構成した本発明の分離型座椅子においては、座部と背凭部の分離状態で互いに略平行に重ね合わせることができ、また、接続部は座部と背凭部クッション材の厚みやクッション性に関係なく設けられることから、従来のクッション材の厚みが大きく、クッション性が高い程折り畳み支点が背凭れ側に移動し、座面後端部から大きく離れて、嵩張りが生じるという座椅子と比較して、本発明は厚みが大きくクッション性が高いクッション材を用いた場合であっても、嵩高さが抑えられる。
【００２０】
加えて、座部と背凭部を別体に構成して着脱自在としたものであるから、座部と背凭部が別途に製造されてこれらは組み立てる必要がなく、組立スペースを省スペース化することができ、また、組立工程数や組み立て時間を少なくすることができ、低コスト化が可能である。
このようにして、使い勝手が良く、品質の維持、コンパクト性の向上及び低コスト化を図ることができる分離型座椅子となる。
【００２１】
請求項２の発明にかかる分離型座椅子によれば、前記連結部は、前記座部に対して前記背凭部を着脱自在に固定する接続固定部を具備することから、請求項１に記載の効果に加えて、ガタつきが防止され安定した連結状態を維持でき、組付けの信頼性が向上する。
【００２２】
請求項３の発明にかかる分離型座椅子によれば、前記連結部は、前記座部の後方に配設した前記接続芯部を前記背凭部の端部に配設した接続受部と挿脱自在としたものであるから、請求項１または請求項２に記載の効果に加えて、簡単な操作で座部と背凭部の着脱を行うことができる。
【００２３】
請求項４の発明にかかる分離型座椅子によれば、前記連結部は、前記背凭部の端部に配設した接続芯部を前記座部の後方に配設した接続受部と挿脱自在にしたことから、請求項１または請求項２に記載の効果に加えて、簡単な操作で座部と背凭部の着脱を行うことができる。
【００２４】
請求項５の発明にかかる分離型座椅子によれば、前記接続固定部は、前記接続芯部に対して弾接的に挟持するように形成された拘束部材によって前記接続受部に挿入された前記接続芯部を所定位置に拘束させ、弾性力に抗する外力によってその拘束状態を解除可能としたことから、請求項１乃至請求項４の何れか１つに記載の効果に加えて、簡単な構造で安定した座部及び背凭れ部の取付け状態を維持でき、その取外し構造も容易である。
【００２５】
請求項６の発明にかかる分離型座椅子によれば、前記座部に対して前記背凭部を傾動自在としたことから、請求項１乃至請求項５の何れか１つに記載の効果に加えて、使用者の好みの使用形態や態勢に合わせることができ、非常に使い勝手が良い。
【００２６】
請求項７の発明にかかる分離型座椅子によれば、前記座部及び背凭部は、それぞれ骨格を形成する管材からなるフレームにクッション材を取付け、更に、全体を表被材で被覆してなるものであり、骨格を管材で形成することで、全体を軽量、かつ、廉価にでき、また、クッション材を取付けることで、長時間快適に、かつ、楽に着座することができて使い心地がよく、更に、表皮材で被覆されることでクッション材が長持ちする。よって、請求項１乃至請求項６の何れか１つに記載の効果に加えて、使用勝手が向上し、かつ、低コストとなる。
【００２７】
請求項８の発明の分離型座椅子の前記連結部は、前記背凭部の下部に配設した接続芯部が、前記座部の後方に配設した接続受部との結合状態が背側表皮材で外部から確認できないようにしたものであるから、請求項１乃至請求項７の何れか１つに記載の効果に加えて、外部から前記背凭部の下部に配設した接続芯部と前記座部の後方に配設した接続受部との結合状態が見えないから、通常の座椅子との間に違和感がない。また、見栄えをよくすることができる。
【図面の簡単な説明】
【００２８】
【図１】図１は本発明の実施の形態に係る分離型座椅子の座部及び背凭部が接続された状態の全体の外観構造を示す斜視図である。
【図２】図２は本発明の実施の形態に係る分離型座椅子の座部及び背凭れ部が分離された状態の外観構造を示す斜視図である。
【図３】図３（ａ）は本発明の実施の形態に係る分離型座椅子の背凭れ部を接続部が挿入される底部側（下側）からみた斜視図であり、図３（ｂ）は本発明の実施の形態に係る分離型座椅子の座部後方の接続部付近を示す部分斜視図である。
【図４】図４（ａ）は本発明の実施の形態に係る分離型座椅子の座部と背凭れ部を分離して互いに重ねわせた状態を前方からみた斜視図であり、図４（ｂ）は本発明の実施の形態に係る分離型座椅子の座部と背凭れ部を分離して互いに重ねわせた状態を後方からみた斜視図である。
【図５】図５は本発明の実施の形態に係る分離型座椅子の内部構造を示す断面図であり、（ａ）は座部と背凭部が接続された状態の断面図、（ｂ）は、座部及び背凭れ部が分離された状態の断面図である。
【図６】図６は本発明の実施の形態に係る分離型座椅子の座部及び背凭部の骨格構造（内部のフレーム構造）示す斜視図である。
【図７】図７は本発明の実施の形態に係る分離型座椅子の座部及び背凭部の骨格構造における接続部分の要部拡大斜視図であり、（ａ）は座部と背凭部の接続状態の拡大図、（ｂ）は座部と背凭部の分離状態の拡大図である。
【図８】図８は本発明の実施の形態に係る分離型座椅子の骨格構造において座部に対して背凭部を傾動自在とする傾動部の角度調節具及び座部と背凭部の接続部分を拡大して示す要部拡大斜視図である。
【図９】図９は本発明の実施の形態に係る分離型座椅子の骨格構造において座部に対して背凭部を傾動自在とする傾動部の傾動連結具及び座部と背凭部の接続部分を拡大して示す要部拡大斜視図である。
【図１０】図１０は本発明の実施の形態に係る分離型座椅子の骨格構造において座部と背凭部が着脱される際の接続部と弾接挟持具の状態を示して座部と背凭部の接続構造を説明する説明図であり、（ａ）は接続部の頭部が弾接挟持具を通過する前の状態を示す図であり、（ｂ）は接続部の頭部が弾接挟持具を通過する際の弾接挟持具の弾性変化を示す図であり、（ｃ）は接続部の頭部の一部が弾接挟持具を通過した後に弾接挟持具が復元して接続部を拘束している状態を示す図であり、（ｄ）は弾接挟持具による接続部の拘束状態が解除される際における弾接挟持具の弾性変化を示す図であり、（ｅ）は接続部の頭部が弾接挟持具から外れ弾接挟持具が復元する様子を示す図である。
【発明を実施するための形態】
【００２９】
以下、本発明の実施の形態について、図面を参照しながら説明する。
なお、本実施の形態において、同一の記号及び同一の符号は同一または相当する機能部分を意味するものであるから、ここでは重複する詳細な説明を省略する。
【００３０】
まず、本発明の実施の形態に係る分解型座椅子１の全体構造について、図１乃至図９を参照して説明する。以下の説明においては、格別にことわりのない限り、座部１０に着座して背凭部２０に背を凭れかけた人を前提に、前後左右の方向を、その人の前後左右の方向として説明する。
【００３１】
図に示すように、本実施の形態に係る分解型座椅子１は、人が着座したときに臀部を受ける座部１０と、座部１０の後端に接続され、人が座部１０に臀部を乗せたときの背凭れとなる背凭部２０と、座部１０に対して背凭部２０を傾動自在に傾動させる傾動部３０とを基本的構成とし、更に、座部１０の後端に背凭部２０を接続するための接続芯部４０を有している。
【００３２】
このように構成される本実施の形態に係る分解型座椅子１の骨組みは、図６及び図７に示すように、人が着座する座部１０として、略コ字状の管材からなる外枠１１及び外枠１１の形状を拘束する管材からなる補助材１２によって構成される座側フレーム部１３と、人が凭れる背凭部２０として、一対のラチェット機構２１Ｃを介して略コ字状の管材からなる背枠２１及び背枠２１の形状を拘束する管材からなる補助材２２によって構成される背側フレーム部２３と、座部１０に対して背凭部２０を傾動自在とする傾動部３０として、座側フレーム部１３の後端部に設けられた角度調整具３０Ａ及び傾動連結具３０Ｂと、座側フレーム部１３の後端に角度調整具３０Ａ及び傾動連結具３０Ｂを介して設けた接続芯部４０を受け入れる接続受部５１によって、座側フレーム部１３の後端に設けた接続芯部４０を管材で形成されている背枠２１の端部の接続受部５１に挿脱することによって、座側フレーム部１３と背側フレーム部２３が着脱自在になっている。
【００３３】
そして、本実施の形態に係る分解型座椅子１は、図５に示すように、骨組みである座側フレーム部１３に座側クッション部１４が装着され、更に、傾動部３０を含めたそれら略全体が座側表皮材１５で覆われることによって座部１０が構成され、また、背側フレーム部２３に背側クッション部２４が装着され、更にそれら略全体が背側表皮材２５で覆われることによって背凭部２０が構成されている。
【００３４】
ここで、座部１０は、人が着座したときに臀部を受けるためのもので、その骨格を構成する骨組みは、図６及び図７に示すように、金属管等の管材の曲げによって略コ字状に成形された外枠１１に、その形状を拘束し補強する金属管等の管材で構成された補助材１２を溶接してなる座側フレーム部１３によって形成されている。そして、この座側フレーム部１３は、座側クッション部１４及び座側表皮材１５と共に座部１０を形成している。
また、座側フレーム部１３の外枠１１の後端には、背凭部２０を傾動自在とするための傾動部３０としての角度調整具３０Ａ及び傾動連結具３０Ｂが接続され、更に、これらを介して一対の接続芯部４０の芯本体４０Ｂが連結され、この接続芯部４０の芯本体４０Ｂを受けるように、背凭部２０の背側フレーム部２３の下端部に後述する接続受部５１が設けられている。
【００３５】
なお、本実施の形態の分離型座椅子１においては、座部１０の左右に座部１０に臀部を乗せた人が肘を置くための一対の肘掛部６５が配設されており、この肘掛部６５は、座部１０の骨格を形成する座側フレーム部１３の外枠１１の左右に、図示しない略コ字状や略直方体状等の管材からなる肘掛フレームを溶接し、これに直接または必要に応じてクッション材を介在させて表皮材で覆うことによって構成されている。
【００３６】
また、座部１０の下部に、床または畳等の上面に載置される基台部６０（図４）が設けられており、この基台部６０は座部１０と回転自在に接続されていて、基台部６０によって座部１０が傾動自在に支持されている。このため、本実施の形態の分離型座椅子１によれば、一度着座した人が方向を変えるために立ち上がることなく、基台部６０に対して座部１０を傾動させることで方向を変えることができ、利便性が高くなっている。因みに、本実施の形態の基台部６０は、人が背凭部２０に凭れかけて体重を掛けた場合の安定性から、図１及び図２における上からの視線では座部１０の下に位置し、確認できないようなサイズとなっている。
しかしながら、これら肘掛部６５や基台部６０は、本発明の分離型座椅子を構成する場合に、必ずしも必要な要件ではない。
【００３７】
背凭部２０は、座部１０に臀部を乗せた人の背凭れとなるもので、その概略形状を構成する骨組みは、図６に示したように、一対の接続芯部４０を各々挿入可能な金属管等の管材からなる左右一対の背凭本体フレーム２１Ａと、この背凭本体フレーム２１Ａの上部に傾動自在に軸支され金属管等の管材の曲げによって略コ字状に成形された頭部受部フレーム２１Ｂと、背凭本体フレーム２１Ａに対して頭部受部フレーム２１Ｂを傾動自在に連結するラチェット機構２１Ｃからなる背枠２１に、その形状を拘束し補強する金属管等の管材で構成された補助材２２を溶接してなる背側フレーム部２３によって形成されている。
【００３８】
更に具体的に詳述すると、背側フレーム部２３の構成は、左右一対の２本の背凭本体フレーム２１Ａの開口端部及び略コ字状の頭部受部フレーム２１Ｂの開口端部にラチェット機構２１Ｃが挿入され、そこでスポット溶接、圧着等で固着されてラチェット機構２１Ｃを介して背凭本体フレーム２１Ａ及び頭部受部フレーム２１Ｂが接続されており、更に、左右一対の背凭本体フレーム２１Ａ間に補助材２２が溶接されている。
そして、この背側フレーム部２３は、背側クッション部２４及び背側表皮材２５と共に背凭部１０を形成している。
【００３９】
なお、本実施の形態においては、背側フレーム部２３の最上部側に頭部受部フレーム２１Ｂが設けられ、背側クッション部２４及び背側表皮材２５と共に頭部受部２６を形成し、この頭部受部２６に座部１０に着座した人がその頭部を凭れ掛けさせることができるようになっている。そして、上述したように、背凭本体フレーム２１Ａと頭部受部フレーム２１Ｂは所定の角度で停止するラチェット機構２１Ｃで接続されており、このラチェット機構２１Ｃによって頭部受部フレーム２１Ｂの背凭本体フレーム２１Ａからの突出距離を変化させ、上半身の傾動状態によって頭部受部２６の傾動角度が調節可能になっている。
【００４０】
ラチェット機構２１Ｃとしては、公知のラチェット機構が使用される。念のため、このラチェット機構２１Ｃは、背凭本体フレーム２１Ａの開口端部に挿着した取付片２１１と、その端部に形成されラチェット機構２１Ｃの機構部分の略全体を収容するハウジング部２１２と、頭部受部フレーム２１Ｂの開口端部に取付けた取付片２１３と、その端部に形成した相対向する一対のラチェット２１４を有している。ラチェット２１４は複数のラチェット歯が所定のピッチで形成されてなるものであり、ラチェット歯によって頭部受部２６を何段階の変化で傾動停止させるかが決定される。通常、５段から１０段の位置で停止できるように形成されている。
【００４１】
そして、一対のラチェット２１４間にラチェット機能を禁止または解禁する図示しないカム板を介在させた状態で、ラチェット２１４及びカム板（図示せず）が、ハウジング部２１２内に収容され、ハウジング部２１２の両側壁に設けた傾動軸２１５に傾動自在に軸支されている。更に、ハウジング部２１２内には、ラチェット歯に噛み合う方向に弾性力を付与しているコイルばね（図示せず）が収容されていると共に、ラチェット歯に係合する図示しない逆転防止爪（図示せず）が回転自在に軸支されており、逆転防止爪（図示せず）によって、ラチェット２１４における逆方向の回転を防止できるようになっている。これより、背凭本体フレーム２１Ａに対して頭部受部フレーム２１Ｂは傾動自在で、その角度が調節自在となっており、使用者の好みにあった頭部位置とすることができる。また、後述するように、梱包や収納時等に座部１０と背凭部２０を分離した状態で互いに重ね合わせたときに、背凭部２０の頭部受部２６がこのように折曲自在であることで、図４（ａ）及び図４(ｂ)に示すように、頭部受部２６を座部１０側に近づけて折曲させることによって収納サイズを小さくすることができ、コンパクト性が向上する。
【００４２】
そして、図５乃至図９に示されるように本実施の形態においては、後述するように、一対の背凭本体フレーム２１Ａの下部の接続受部５１に、座部１０の後端に設けた一対の接続芯部４０の芯本体４０Ｂが挿入されたときに、その接続芯部４０を所定位置に拘束するための一対の弾接挟持材５２が取付けられている。
また、一対の背凭本体フレーム２１Ａの下端部には、その外周方向に一対のフランジ部２１ａが、座部１０の後端に設けた後述する角度調整具３０Ａ及び傾動連結具３０Ｂのフランジ部３３ａ,３９ａと同じ寸法形状で形成されており、一対の背凭本体フレーム２１Ａとフランジ部３３ａ,３９ａは当接自在になっている。
【００４３】
ここで、本実施の形態の一対の背凭本体フレーム２１Ａは、管材で形成されることによって一対の接続芯部４０の芯本体４０Ｂが挿脱自在に装着される接続受部５１を構成している。この接続芯部４０の芯本体４０Ｂの長さと、挿脱自在な接続受部５１の長さによって、両者間のガタツキを防止し、かつ、装着状態の安定性を確保している。通常、芯本体４０Ｂの長さは、５〜２０ｃｍの長さとされる。
接続芯部４０は、芯本体４０Ｂとその端部の頭部４０Ａの上部４０ａが先端に向かって縮径するテーパ形状の逆円錐台を呈し、その下部側が下方向中心部に向かって徐々に切り欠かれてくびれた形状を呈し、円柱状の芯本体４０Ｂに続いている。切り欠きによってくびれ状に形成された頭部４０Ａの下部側をくびれ部４０ｂとし、このくびれ部４０ｂは、下方に向かって縮径するテーパ状の略お椀形状を呈している。
【００４４】
また、本実施の形態の接続受部５１は、背凭本体フレーム２１Ａの端部からの距離及びその端部のフランジ部２１ａの厚みが芯本体４０Ｂの長さよりも長くなっている。ここで、接続芯部４０と接続受部５１によって本実施の形態の連結部５０を構成している。ここで、連結部５０の接続受５１と芯本体４０Ｂとはその径のギャップが１ｍｍ以下であることが望ましい。
なお、弾接挟持具５２は、対向する辺に接触するように屈曲させた２か所の屈曲部５２Ａ，５２Ｂ間を弧状部５２ａとし、背凭本体フレーム２１Ａの管材の外側から対向する一対の切欠部２１ｃに嵌められて、弧状部５２ａがそれと対向する直線部５２ｂと共に切欠部２１ｃから管材内の中空部２１ｂに突出し、頭部４０Ａのくびれ部４０ｂに係合自在となっている。
【００４５】
また、座部１０に対して背凭部２０を傾動自在に傾動させる傾動部３０は、座部１０の後端右側に設けた角度調節具３０Ａと反対側の後端左側に設けた傾動連結具３０Ｂから構成される。
角度調節具３０Ａは、図８に示されるように、ギア３１を収容したハウジング３１Ａに座側フレーム部１３の上枠１１の右端部に連結する座側管材３２が一体形成され、また、ハウジング３１Ａ内のギア３１に、一端外周にフランジ部３３ａを有し、後述の接続芯部４０が取付けられた背側管材３３が装着されている。更に、ハウジング３１Ａの側壁の外側には、基部３４ａを介して渦巻き状バネ３４、及び基部３４ａに枢着した枢軸３５を介して操作レバー３６が固定されている。
【００４６】
操作レバー３６は、枢軸３５を枢着した基部３６ａと、この基部３６ａに螺子等によって接合した長尺のレバー３６ｂとから構成され、レバー３６ｂの端部には、人が把持するノブ３６ｃが固着されている。渦巻き状バネ３４はその中心部にある一端が枢軸３５を枢着した基部３４ａに係止されると共に、その他端が背側管材３３側のハウジング３１に固定された係止ピン３４ｂに係止されている。そして、渦巻き状バネ３４の中心部には、ハウジング３１Ａ内のギア３１に軸支された枢軸３１ａが枢着され、また、ハウジング３１Ａ内には、図示しないロック体が操作レバー３６に係止した付勢部材３１Ｂによって付勢されてギア３１の歯に係合可能に取付けられている。
【００４７】
傾動連結具３０Ｂは、図９に示されるように、円形環状板のスラスト受部材３７を収容したハウジング３７Ａに座側フレーム部１３の上枠１１の左端部に連結する座側管材３８が一体形成され、また、スラスト受部材３７内に、一端外周にフランジ部３９ａを有し、後述の接続芯部４０が取付けられた背側管材３９が嵌め込まれている。詳細には、この背側管材３９は、一端の外周方向に延設したフランジ部３９ａとは反対側の他端に平坦状の連結部３９ｂを有しており、その連結部３９ｂがスラスト受部材３７内に嵌め込まれている。そして、スラスト受部材３７及び背側管材３９の連結部３９Ｂに枢軸３７Ｂが挿通されてハウジング３７Ａに軸止されることによって、背側管材３９の連結部３９ｂがスラスト受部材３７に一体に回転可能に連結されている。
【００４８】
フランジ部２１ａとフランジ部３９ａ、フランジ部２１ａとフランジ部３３ａは、当接し、その移動が拘束されるストッパーとして機能する。しかし、本実施の形態ではフランジ部２１ａとフランジ部３９ａ、フランジ部２１ａとフランジ部３３ａとが当接するストッパー機能を持たせているが、本発明を実施する場合には、背凭本体フレーム２１Ａと背側管材３３または背側管材３９が当接するから、各フランジを省略することもできる。
即ち、スラスト受部材３７及び背側管材３９の連結部３９ｂに枢軸３７Ｂを挿通し、係る枢軸３７Ｂを座側管材３８が一体に形成されたハウジング３７Ａに軸支させることによって、座側管材３８に対し背側管材３９が傾動自在に連結している。なお、スラスト受部材３７を合成樹脂製にすることで、ハウジング３７Ａが、通常、金属製であるのに対し、スムーズに傾動させることができかつ異音の発生を抑えることができる。
【００４９】
これより、角度調節具３０Ａの操作レバー３６を上方向に持ち上げ操作すると、付勢部材３１Ｂの付勢力に抗してギア３１に係止したロック体（図示せず）の係止状態が解除され、背側管材３３がギア３１を介して渦巻き状バネ３４によって傾動付勢されて、座側管材３２に対し背側管材３３が後方に傾倒する。このとき、傾動連結具３０Ｂによって座側管材３８に対し背側管材３９が傾動自在に連結していることから、座側管材３２及び座側管材３８に連結する座側フレーム部１３に対し、背側管材３３及び背側管材３９に連結された後述の一対の接続芯部４０とこれに接続した背側フレーム部２３は後方に傾倒することになる。即ち、操作レバー３６の持ち上げ操作によって、背凭部２０が自動的に座部１０から遠のく方向に傾倒する。
【００５０】
また、操作レバー３６を持ち上げた状態において、付勢部材３１Ｂの付勢力に抗してギア３１に係止したロック体の係止状態が解除されていることから、座部１０に近づくように背凭部２０を傾動させることも可能である。そして、操作レバー３６の持ち上げ操作を解除した場合には、付勢部材３１Ｂの付勢によってギア３１にロック体（図示せず）が係止されて背側管材３３の傾動が阻止され座部１０に対して背凭部２０の位置が固定される。
なお、本実施の形態において、背凭部２０は座部１０に対して略０度乃至１８０度の範囲内で傾動自在となっている。因みに、座部１０に対して傾動自在な略０度乃至１８０度の範囲内とは、停止位置を変更する際に使用するもので傾動停止位置を特定するために略０度乃至１８０度の範囲内を傾動自在としたものであり、背凭部２０の停止位置は座部１０に対して略９０度乃至１８０度の範囲内に複数段設定される。
【００５１】
このように、本実施の形態の分離型座椅子１によれば、角度調節具３０Ａ及び傾動連結具３０Ｂの傾動部３０によって、座部１０に対して背凭部２０が傾動自在となっており、好みの背凭部２０の傾斜状態に調節することができ、使用者は好みの背凭角度で分離型座椅子１に座ることができて使い勝手が良い。
【００５２】
そして、本実施の形態に係る分解型座椅子１は、図５に示されるように、骨組みである座側フレーム部１３の主に上側（表側）に座側クッション部１４が載置して固定され、更に、傾動部３０（背側管材３３,３９のフランジ部３３ａ，３９ａを除く）を含めたそれら略全体が座側表皮材１５で覆われ、また、背側フレーム部２３の主に表側（座部１０側）に背側クッション部２４が載置して固定され、更にそれら略全体（背凭本体フレーム２１Ａのフランジ部２１ａを除く）が、背側表皮材２５で覆われてなるものである。なお、本実施の形態に係る分解型座椅子１は、図３（ａ）及び図４（ｂ）及び図５に示したように、背凭部２０の背側表皮材２５において、座部１０に接続する端部側の生地を余分に確保し、座部１０に背凭部２０を取付けた状態で、その余らせた生地によって座部１０と背凭部２０の接続部分、詳細には、フランジ部３３ａ，３９ａ及び一対のフランジ部２１ａの接合部分を覆い、意匠性を良くしている。
【００５３】
座側クッション部１４及び背側クッション部２４は、所定の肉厚の略矩形状を呈しており、人の着座時の安定性等の面から人体に近い位置（座側フレーム部１３、背側フレーム部２３から離れた位置）を軟質の発泡樹脂等のクッション材（緩衝材）で形成し、人体に遠い位置（座側フレーム部１３、背側フレーム部２３に近い位置）を硬質の発泡樹脂等のクッション材（緩衝材）で形成するのが好ましいが、本発明を実施する場合、特に、これに限定されるものではない。クッション材としては、例えば、公知のウレタンフォームによる充填成型、ウレタンフォームシート、ウレタンフォームチップシート等の緩衝用として成型等のウレタンフォーム、その他の発泡性樹脂、または、発泡性樹脂等の代わりにゴム製容器に空気を注入したエアクッションタイプ、低反発材料、高反発材料、綿等が使用される。特に、細かく砕いたウレタンフォームを成形したウレタンフォームチップ（チップウレタン）は、多少硬めで体の沈み込みを抑えて丈夫で長持ちし、また、低反発ウレタンは、体にかかる圧力を均等に吸収・分散して支えてくれる素材で、一点に圧力が集中しないので血行を妨げないという効果がある。軟質のクッション材内部には、ウレタンフォームチップ等からなる緩衝性を有する芯材が収容されていてもよく、この場合には、クッション材の外面素材は、緩衝性を有する素材として、例えば、ナイロン等の合成樹脂やゴム材料等が好ましい。
【００５４】
また、本実施の形態においては、座側表皮材１５及び背側表皮材２５に、高級感のあるレザー（皮）生地を使用したが、本発明を実施する場合には、これに限定されず、例えば、座布団生地、キャンパス生地、ジャガード生地等を使用することも可能である。
なお、座部１０の両側に配設した肘掛部６５についても、図示しない略コ字状や略直方体状等の枠からなる肘掛フレームに対して直接または必要に応じてクッション材を介在させて表皮材で覆って仕上げている。
【００５５】
そして、本実施の形態に係る分解型座椅子１は、このように構成された座部１０及び背凭部２０が、座側フレーム部１３の後端に傾動部３０を介して設けた一対の接続芯部４０の芯本体４０Ｂを背側フレーム部２３の背凭本体フレーム２１の管材内（中空部２１ｂ）からなる接続受部５１に挿脱させることによって接続され、両者を分離することにより、接続解除される連結部５０となっている。
【００５６】
ここで、座部１０と背凭部２０の接続構造について、主に、図２乃至図１０を参照して、詳細に説明する。
本実施の形態においては、座部１０の後端に設けた角度調節具３０Ａ及び傾動連結具３０Ｂの背凭部２０側にそれぞれ接続芯部４０が接続され、背凭部２０の背凭本体フレーム２１に装着可能に形成されている。
【００５７】
具体的に、本実施の形態に係る一対の接続芯部４０は、横断面円形状の金属製の接続棒によって形成され、上端部における頭部４０Ａの上部４０ａが先端に向かって縮径するテーパ形状の逆円錐台を呈し、その下部側が下方向中心部に向かって徐々に切り欠かれてくびれた形状を呈し、円柱状の芯本体４０Ｂに続いている。なお、切り欠きによってくびれ状に形成された頭部４０Ａの下部側をくびれ部４０ｂとし、このくびれ部４０ｂは、下方に向かって縮径するテーパ状の略お椀形状を呈している。
そして、本実施の形態において、この接続芯部４０の芯本体４０Ｂは、角度調節具３０Ａ及び傾動連結具３０Ｂにおける背側管材３３，３９のフランジ部３３ａ，３９ａ側内に形成された雌ネジ部（図示せず）に対応する雄ネジ部（図示せず）を下端部に形成し、螺合によって、角度調節具３０Ａ及び傾動連結具３０Ｂにおける背側管材３３，３９のフランジ部３３ａ，３９ａ側に装着している。勿論、圧接または溶接によって一体化してもよい。
【００５８】
このように形成された一対の接続芯部４０が接続される背凭部２０においては、上述の如く、その骨組みである背側フレーム部２３の一対の背凭本体フレーム２１Ａが、その下端部にフランジ部２１ａを有する管材で構成され、管材内の中空部２１ｂに一対の接続芯部４０が挿入可能となっている。即ち、本実施の形態の背凭本体フレーム２１Ａは、管材で形成されていることによって、接続芯部４０が挿脱自在に取付けられる取付孔部を構成している。
そして、本実施の形態においては、一対の背凭本体フレーム２１Ａの下端部に形成されたフランジ部２１ａから所定距離だけ離間した位置に、側壁に沿って弧状に切り欠いた対向する一対の切欠部２１ｂが形成されており、この一対の切欠部２１ｃには、背凭本体フレーム２１Ａ内に挿入された接続芯部４０を所定位置に拘束するための一対の弾接挟持具５２が装着されている。
【００５９】
この弾接挟持具５２は、一方のバネを略Ｕ字状に折曲げ、その片方の辺を波形状に曲げ形成したものであり、対向する辺に接触するように屈曲させた２か所の屈曲部５２Ａ，５２Ｂ間を弧状部５２ａとし、背凭本体フレーム２１Ａの管材の外側から対向する一対の切欠部２１ｃに嵌められて、弧状部５２ａがそれと対向する直線部５２ｂと共に切欠部２１ｃから管材内の中空部２１ｂに表出し、後述するように、弧状部５２ａ及びそれと対向する直線部５２ｂの間を接続芯部４０の頭部４０Ａが進退自在に通過可能、かつ、接続芯部４０のくびれ部４０ｂを弾接挟持可能に形成されている。特に、弧状部５２ａ及びそれと対向する直線部５２ｂの間は、接続芯部４０の頭部４０Ａが通過する際に、頭部４０Ａからの押圧により弧状部５２ａが直線部５２ｂから離間する方向に弾性変形して頭部４０Ａの通過を許容し、頭部４０Ａの上部４０ａ通過後は、自己の復元力によって弧状部５２ａが復元するようになっており、その復元力によって対向する直線部５２ｂと共に、間に入り込んだ接続芯部４０のくびれ部４０ｂを弾接挟持するように設計される。
【００６０】
即ち、本実施の形態においては、接続芯部４０が挿脱される一対の管材である背凭本体フレーム２１Ａの所定位置に一対の切欠部２１ｃを形成し、そこに所定形状の一対の弾接挟持具５２を装着して、弾接挟持具５２の弧状部５２ａ及びそれに対向する直線部５２ｂを管材の中空部２１ｂに表出させることによって、弧状部５２ａ及びそれに対向する直線部５２ｂ間に接続芯部４０の頭部４０Ａを進退自在に通過させ、更に、弧状部５２ａ及びそれに対向する直線部５２ｂによって接続芯部４０のくびれ部４０ｂを弾接挟持するようになっている。
【００６１】
なお、背凭本体フレーム２１Ａにおける切欠部２１ｃ及びそこに装着された弾接挟持具５２は、背凭本体フレーム２１Ａの端部に形成されたフランジ部２１ａから所定距離離れて配設されており、後述するように、接続芯部４０を背凭本体フレーム２１Ａの管材内に挿入したとき、接続芯部４０が接続している角度調節具３０Ａ及び傾動連結具３０Ｂの背側管材３３，３９上端部に形成されたフランジ部３３ａ，３９ａと背凭本体フレーム２１Ａの端部に形成された一対のフランジ部２１ａとが当接し接続芯部４０が管材内に完全に挿入された位置において、弾接挟持具５２が接続芯部４０のくびれ部４０ｂを弾接挟持できるように、接続芯部４０及びフランジ部２１ａとの関係で相対的に決定される。因みに、本実施の形態の弾接挟持具５２においては、２か所の屈曲部５２Ａ、５２Ｂが対向する辺に接触するように形成されていることで、背凭本体フレーム２１Ａの切欠部２１ｃから離脱することのないようになっている。
【００６２】
これより、座側フレーム部１３に角度調節具３０Ａ及び傾動連結具３０Ｂを介して設けた接続芯部４０を背凭本体フレーム２１Ａの管材内（中空部２１ｂ）に挿入することによって、座部１０及び背凭部２０が接続される。
そして、本実施の形態においては、図１０（ａ），（ｂ）,（ｃ）に示したように、背凭本体フレーム２１Ａの切欠部２１ｃに嵌められた弾接挟持具５２の位置まで接続芯部４０が挿入されたとき、接続芯部４０からの押圧によって弾接挟持具５２の弧状部５２ａが外方向（直線部５２ｂから離間する方向）へその弾性力によって拡がり（図１０（ｂ）参照）、接続芯部４０の頭部４０Ａの通過が許容される。頭部４０における上部４０ａの通過後は、弧状部５２ａが復元力によって再び直線部５２ｂに接近し、背凭本体フレーム２１Ａの下端部に形成されたフランジ部２１ａと接続芯部４０を装着している角度調節具３０Ａ及び傾動連結具３０Ｂの背側管材３３，３９の上端に形成されたフランジ部３３ａ，３３ｂとが当接し接続芯部４０が背凭本体フレーム２１Ａの管材内に略完全に挿入されたとき、弾接挟持具５２における弧状部５２ａの復元力及びそれに対向する直線部５２ｂによって弾接状態で接続芯部４０における頭部４０Ａのくびれ部４０ｂを挟装する（図１０（ｃ）参照）。
【００６３】
即ち、接続芯部４０の芯本体４０Ｂを背凭本体フレーム２１Ａの接続受部５１となる管材内（中空部２１ｂ）に挿入し、接続芯部４０が装着された背側管材３３，３９のフランジ部２１ａと背凭本体フレーム２１Ａのフランジ部３３ａ，３３ｂとが当接した位置において、背凭本体フレーム２１Ａの切欠部２１ｃに嵌められた弾接挟持具５２の弧状部５２ａ及びそれと対向する直線部５２ｂによって接続芯部４０が弾接的に挟持されその位置で拘束される。そして、この弾接挟持具５２による接続芯部４０の拘束状態は、芯本体４０Ｂのくびれ部４０ｂを弾接挟持する弾接挟持具５２の弾性力以上の外力が外部から加えられない限り解除されないようになっている。
【００６４】
これによって、接続芯部４０が背凭本体フレーム２１Ａの管材内に挿着されて、人が座部１０に着座し背凭部２０に背を凭れかけた際や座部１０に対して傾動部３０によって背凭部２０を傾動させたときでも、接続芯部４０に対する弾接挟持具５２の拘束力が発揮され、ガタつくことなく安定した座部１０と背凭部２０の装着状態が維持される。したがって、背凭部２０を持ち上げて移動させることもできる。
【００６５】
特に、本実施の形態においては、背凭本体フレーム２１Ａの管材内（中空部２１ｂ）に挿入する接続芯部４０の上端部における頭部４０Ａの上部４０ａが先端に向かって縮径するテーパ状に形成されているため、管材内（中空部２１ｂ）への挿入がスムーズで容易にできる。加えて、背凭本体フレーム２１Ａに切欠部２１ｃを設けてそこに所定形状の弾接挟持具５２を装着させており、接続芯部４０を背凭本体フレーム２１Ａの管材内（中空部２１ｂ）に挿入するという簡単な操作で、弾接挟持具５２によって接続芯部４０のくびれ部４０ｂが弾接挟持されてその位置が拘束され、座部１０に対する背凭部２０の装着状態が固定される。このとき、本実施の形態の接続芯部４０においては、くびれ部４０ｂが上方向外方に向かって傾斜するテーパ形状を呈しており、弾接挟持具５２に対する頭部４０Ａの離脱（抜き出る）方向の接触抵抗を徐々に大きくする構成であることから、弾接挟持具５２に対する頭部４０Ａの挟持状態が安定的に維持され、ガタつきが防止される。
【００６６】
よって、極めて簡単な操作で座部１０と背凭部２０を取付けることができ、しかも、その取付状態を安定させることができる。即ち、座部１０と背凭部２０を装着する際には装着し易く、装着後は座部１０と背凭部２０が外にずれにくくなっており、座部１０と背凭部２０の組み付けを作業性良く行うことができ、組付けの信頼性も高く、使い勝手が良い。
因みに、本実施の形態の分解型座椅子１においては、背凭本体フレーム２１Ａの管材内（中空部２１ｂ）が円形状の中空（図４（ａ）参照）になっているのに対応して、弾接挟持具５２の横断面形状が円形状に形成されていることから、接続芯部４０を背凭本体フレーム２１Ａの管材内に挿脱させる際や座椅子として使用する際に、接続芯部４０が背凭本体フレーム２１Ａの管材内壁に接することによる異音の発生や傷付きが防止される。
【００６７】
そして、本実施の形態においては、弾接挟持具５２が接続芯部４０のくびれ部４０ｂを弾接挟持している座部１０と背凭部２０の装着状態で、図１０（ｄ）に示されるように、接続芯部４０のくびれ部４０ｂに弾接する弾接挟持具５２の弾性力に抗して座部１０と背凭部２０を引き離すことによって、接続芯部４０からの押圧で弾接挟持具５２の弧状部５２ａが外方向（直線部５２ｂから離間する方向）に拡がり、接続芯部４０の頭部４０Ａが弾接挟持具５２から離脱され、座部１０と背凭部２０を分離することができる。
【００６８】
特に、本実施の形態においては、接続芯部４０のくびれ部４０ｂが上方向外方に向かって傾斜するテーパ形状を呈しており、無理な力を加えることなく接続芯部４０のくびれ部４０ｂを弾接挟持している弾接挟持具５２の弾性力に抗して背凭部２０と座部１０を引き離すという簡単な操作で、弾接挟持具５２から接続部４の頭部４０Ａが抜き出ることから、座部１０と背凭部２０を簡単に分離させることができ、使い勝手がよい。
なお、図１０（ｅ）に示されるように、接続芯部４０の頭部４０Ａが弾接挟持具５２から離脱した後、弾接挟持具５２はその復元力によって元の状態に復帰する。
【００６９】
したがって、本実施の形態の分離型座椅子１によれば、このように座部１０と背凭部２０を分離できることから、生産後に消費者に届くまで等の運搬・梱包の際や、収納・保管等のための持ち運び移動の際や、収納・保管の際等の座椅子不使用時には、図３に示すように、座部１０と背凭部２０の分離状態で互いに重ね合わせてコンパクトにすることが可能である。よって、運搬・梱包が容易かつ低コストで済んだり、収納や保管等のための持ち運び時の取扱いも容易にできたり、また、省スペースで収納・保管することができたりする。故に、運搬・梱包の際や、持ち運び移動の際や、収納・保管の際の利便性が高い。
【００７０】
特に、基台部６０によって座部１０を傾動自在に支持している回転式座椅子においては、高級感や重厚感を出すために、大きな厚みを有しクッション性が高いクッション材を用いることが多いが、従来の折曲構造によってコンパクト化を図る座椅子では、クッション材の厚みやクッション性が大きい程、折り畳み支点を背凭れ側の座面後端部から大きく離れた位置に設定する必要があり座部と背凭部を略平行に折り畳むことが困難で、その分だけ嵩高くならざるを得なかった。これに対し、座部１０と背凭部２０を着脱自在に構成した本実施の形態の分離型座椅子１においては、座部１０と背凭部２０を互いに略平行に重ね合わせることができ、また、接続芯部４０は座部１０と背凭部２０のクッション材の厚みやクッション性に関係なく設けられることから、大きな厚みを有し、クッション性が高いクッション材を用いた場合であっても、嵩高さが抑えられる。よって、梱包や収納のサイズを減少可能で無駄な空間をなくして、梱包したり収納したりでき、その収納性を向上できる。
【００７１】
また、一般的な回転式座椅子のように、大きくて重い座椅子であっても、座部１０と背凭部２０を分解して別々に持ち運ぶことができ、その移動が容易にできる。
即ち、座部１０と背凭部２０を分解して別々に持ち運ぶこともできて収納や保管等のための移動時の取扱いも容易になり、収納や保管場所において、座部１０と背凭部２０を重ねてコンパクトにすることができ、不使用時の収納や保管も小さいスペースで済む。
加えて、本実施の形態の分離型座椅子１によれば、背凭部２０の頭部受部２６が折曲自在であることから、梱包や収納時等に座部１０と背凭部２０を分離した状態で互いに重ね合わせたときに、図４（ａ）に示すように、頭部受部２６を座部１０側に近づけて折曲させることによって収納サイズがより小さくなり、コンパクト性が向上する。
【００７２】
また、このように座部１０と背凭部２０を分離させて、座部１０と背凭部２０を互いに重ね合わせることでコンパクトにできるものであるから、表皮材やクッション材を使用した場合であっても従来の折曲構造のようにコンパクト化によって表皮材に皺が生じ易く見栄えが損なわれたり、クッション材の弾力性が失われ易く使用感が損なわれたりすることはなく、品質や商品価値を長期に亘って維持できる。
【００７３】
更に、従来の折曲によってコンパクト化を図る構造においては、座部１０に対して背凭部２０をリクライニングさせる際や座椅子使用時に不用意に折曲してしまう不都合さがあったが、本実施の形態の分離型座椅子１は、座部１０と背凭部２０が着脱自在に構成されていることから、座部１０に対して背凭部２０をリクライニングさせる際や着座している時に不用意に折曲されることもなく、使用時の使い勝手が良好である。
特に、本実施の形態の分離型座椅子１は、座部１０と背凭部２０の装着状態で、背凭本体フレーム２１Ａの切欠部２１ｃに嵌められた弾接挟持具５２によって接続芯部４０が弾接的に挟持されて所定位置に拘束されているため、人が着座して背凭部２０に背を凭れかけている際や座部１０に対して背凭部２０を傾動させた際に、ガタつくことなく安定した装着状態が維持される。
【００７４】
また、本実施の形態においては、背凭本体フレーム２１Ａの管材内（中空部２１ｂ）に挿入する接続芯部４０の上端部（頭部４０Ａの上部４０ａ）が先端に向かって縮径するテーパ状に形成されているため、管材内（中空部２１ｂ）への挿入がスムーズで容易にできる。更に、背凭本体フレーム２１Ａに切欠部２１ｃを設けてそこに所定形状の弾接挟持具５２を装着させており、接続芯部４０を背凭本体フレーム２１Ａの管材内に挿入するとういう簡単な操作で、弾接挟持具５２によって接続芯部４０が弾接挟持されてその位置が拘束され、座部１０と背凭部２０の装着状態が固定される。このため、極めて簡単な操作で座部１０と背凭部２０を取付けることができ、その組み付けが容易であるうえに、簡単な構造で分離を容易に防止することができて安定した取付け状態を維持できる。即ち、本実施の形態の分離型座椅子１によれば、座部１０と背凭部２０を装着し易く、一旦装着されてしまえば弾接挟持具５２によって接続芯部４０のくびれ部４０ｂが弾接挟持され拘束されるので、その装着状態が安定的に維持される。故に、座部１０と背凭部２０の組み付けを作業性良く行うことができ組付けの信頼性も高い。
【００７５】
加えて、本実施の形態においては、背凭本体フレーム２１Ａの切欠部２１ｃに装着した所定形状の弾接挟持具５２によって接続芯部４０のくびれ部４１ｂを弾接挟持させて拘束しており、その弾性力に抗して背凭部２０と座部１０を引き離すという簡単な操作で、弾接挟持具５２から接続芯部４０の頭部４０Ａが抜き出ることから、座部１０と背凭部２０を分離させることができる。
故に、本実施の形態の分離型座椅子１は、座部１０と背凭部２０の取付け及び取外し構造が簡単でその操作も容易であり、非常に使い勝手がよい。
【００７６】
そして、本実施の形態の分離型座椅子１は、このように座部１０と背凭部２０を別体に構成して着脱自在としたものであり、座部１０と背凭部２０とが別途に製造され、これらは組み立てる必要がないことから、組立スペースを省スペース化することができ、また、組立工程数や組み立て時間を少なくすることができ、低コスト化が可能である。
【００７７】
加えて、このように座部１０と背凭部２０を別体に構成し着脱自在としたことから、多様な形態の座部１０と背凭部２０を用意しそれぞれを組み合わせることで、バラエティに富んだ座椅子を構成することも可能である。
【００７８】
ここで、本実施の形態の接続芯部４０を背凭本体フレーム２１Ａの接続受部５１の管材内（中空部２１ｂ）に挿脱するという嵌脱構造は、座部１０と背凭部２０を着脱自在とした連結部５０を構成する。即ち、本実施の形態の接続芯部４０と管材からなる背凭本体フレーム２１Ａの接続受部５１は、座部１０の後端に対して背凭部２０を着脱自在とした連結部５０を構成している。そして、本実施の形態の背凭本体フレーム２１Ａの切欠部２１ｃに装着され、管材内に挿入された接続芯部４０のくびれ部４０ｂを弾接的に挟持する弾接挟持具５２は、座部１０と背凭部２０を着脱自在に固定する接続固定部５５を構成する。本発明を実施する場合の接続固定部５５は、連結部５０の接続芯部４０と接続受部５１が容易に離脱しない程度の一体化を保持できる手段であればよい。
なお、本発明を実施する場合には、接続芯部４０を背凭部２０の端部に設け、座部の後方に配設した背側管材３３，３９に挿脱自在に取付ける構成とすることも可能である。この連結部５０によっても、簡単な操作で座部１０と背凭部２０の着脱を行うことができる。
【００７９】
このように、本実施の形態に係る分離型座椅子１は、臀部を受ける座部１０と、座部１０の後方に座部１０に対して傾動自在に配設され、座部１０に臀部を乗せた人の背凭れとなる背凭部２０と、座部１０の後方に配設した接続芯部４０を背凭部２０の端部に配設した背凭本体フレーム部２１の管材内の接続受５１に挿脱自在に取付けることによって座部１０の後方に背凭部２０を着脱自在とした連結部５０とを具備するものである。
【００８０】
したがって、座部１０と背凭部２０を別体に構成して着脱自在としたことから、座部１０と背凭部２０を接続することで分離型座椅子として使用されるが、移動、梱包、収納等の際には、座部１０と背凭部２０を分離状態とすることで互いに重ね合わせることができ、コンパクトにできる。このため、運搬や梱包が容易かつ低コストで済んだり、省スペースで収納・格納できたり、収納や保管等のための持ち運び時の取扱いも容易にできたりし、運搬・梱包、収納・格納、持ち運びの際の利便性が高い。
特に、接続芯部４０を背凭本体フレーム部２１の管材内に挿脱自在に取付けるという簡単な操作で座部１０と背凭部２０の着脱を行うことから、取付け及び取外し構造が簡単でその操作も容易であり、使い勝手がよい。
【００８１】
そして、座部１０と背凭部２０を分離することで互いに重ね合わせコンパクトにできるものであるから、座部１０及び背凭部２０が表皮材やクッション材で構成される場合であっても、コンパクト化によって表皮材に皺が生じて見栄えが損なわれたり、クッション部１４，２４のクッション材の弾力性が失われて使用感が損なわれたりすることもなく、品質を長期に亘って維持できる。
また、座部１０と背凭部２０の分離状態で、互いに重ね合わせることでコンパクト化が可能であり、座部１０と背凭部２０のクッション材の厚みに関係なく接続芯部４０も設けられることから、大きな厚みを有しクッション性の高いクッション材を用いた場合でも嵩高さが抑えられコンパクト性の向上を図ることができる。
【００８２】
更に、座部１０と背凭部２０が着脱自在に構成されることで、従来の折曲によってコンパクト化を図る構造と比較してリクライニング操作の際や着座している時に不用意に折曲されてしまこともなく、使用時の使い勝手が良好である。
特に、本実施の形態に係る分離型座椅子１の連結部５０は、座部１０に対して背凭部２０を着脱自在に固定する接続固定部５５として、接続芯部４０に対して弾接的に挟持するように形成された弾接挟持具５２を具備し、この弾接挟持具５２によって背凭本体フレーム部２１の管材内に挿入された接続芯部４０を所定位置に拘束させ、弾性力に抗する外力によってその拘束状態を解除可能としたことから、簡単な構成で座部１０と背凭部２０の装着状態が確実に保持される。このため、人が着座して背凭部２０に背を凭れかけているときや座部１０に対して背凭部２０を傾動させたときに接続芯部４０が背凭本体フレーム２１の管材内を移動してガタついたり、管材内から抜き出て座部１０と背凭部２０が分離したりすることはない。
故に、本実施の形態に係る分離型座椅子１によれば、簡単な構成でガタつきが防止され安定した取付状態を維持でき、組付けの信頼性が向上する。
【００８３】
そして、このように座部１０と背凭部２０を別体に構成して着脱自在としたものであるから、座部１０と背凭部２０とは別途に製造され、これらは製造時において組み立てる必要がなく、組立スペースを省スペース化することができ、組立工程数や組み立て時間も少なくできる。よって、低コスト化が可能である。
このようにして、使い勝手が良く、品質の維持、コンパクト性の向上及び低コスト化を図ることができる分離型座椅子１となる。
【００８４】
また、本実施の形態に係る分離型座椅子１は、座部１０に対して背凭部２０を傾動自在としたものであることから、使用者の好みの使用形態や態勢に合わせることができ、非常に使い勝手が良い。
なお、上記実施の形態においては、座部１０に対して背凭部２０を傾動自在に傾動させる手段として、レバー式を用いたが、本発明を実施する場合には、これに限定されるものではなく、ラチェットギヤ、ガススプリング、油圧シリンダ、エアシリンダ等の機構を使用してもよい。
【００８５】
更に、本実施の形態に係る分離型座椅子１は、座部１０及び背凭部２０が、それぞれ骨格を形成する管材からなる座側フレーム部１３及び背側フレーム部２３にクッション材で形成されたクッション部１４，２４を取付け、更に、それら全体を表皮材１５,２５で被覆してなるものである。
即ち、骨格を管材で形成することで、全体を軽量、かつ、廉価にでき、また、クッション材を取付けることで、長時間快適に、かつ、楽に着座することができて使い心地がよく、更に、表皮材で被覆されることでクッション材が長持ちする。
よって、使用勝手が向上し、かつ、低コストとなる。
【００８６】
ところで、本発明を実施する場合には、座部１０に対して背凭部２０を着脱自在とした連結部５０及び取付状態を安定化させるための接続固定部５５は、上記実施の形態の取付構造に限定されるものではなく、例えば、接続芯部４０の芯本体４０Ｂが挿入される背凭本体フレーム２１Ａの管材の接続受部５１の周壁部に孔を設け、この孔に弾性的に係合可能な凸部を接続芯部４０に形成し、係合関係によって接続芯部４０を管材に装着時自在に固定することもできる。また、座部１０側の骨格を形成する管材の端部に設けたフランジ部３３ａ，３９ａ及び背凭部１０側の骨格を形成する管材の端部に設けたフランジ部２１ａに、それぞれ凹部または凸部を設け、凹凸の関係で係合して座部１と背凭部２０を装着自在とすることもできる。更には、ローレット螺子等によって座部１０と背凭部２０の管材同士を接続自在とすることも可能である。何れにせよ、座部１０と背凭部２０を取付けることができ、かつ、無理なく取外すことが可能で、好ましくはその取付状態を安定的に維持することができるものであれば、適宜採用することができる。
【００８７】
なお、分離型座椅子の構造も、上記実施の形態に限定されるものではなく、他の公知の構成を採用することができ、例えば、人の臀部から足までを略水平に保持したり、脚（足を含む）の一部を上下の特定した位置で保持したりするための脚載置部を座部１０の前端に形成したりすることも可能である。これによって、着座した人の脚の疲れを癒す等することができる。また、頭部を凭れ掛ける頭部受部２６は、本発明を実施する場合に、必ずしも必要な要件ではないが、頭部受部２６を設ける場合には、上記実施の形態の構成に限定されず、クッション材だけでもよいし、頭部受部２６が傾動しない固定されたものであってもよい。また、図１及び図２において、頭部受部フレーム２１Ｂの横幅は、背凭本体フレーム２１Ａの横幅と略同一であるが、それを１／４〜２／３の幅とすることもできる。
【００８８】
更に、上記実施の形態においては、座部１０や背凭部２０の外周を管材の曲げによって略コ字状にしてその平面を枠状に形成しているが、少なくとも管材または棒材（バー材）で形成される２辺以上によって外周を形成できれば、管材を略四角形のロ字状に曲げたり略日、目、田字状に形成したりして外形を枠状に形成してもよいし、曲げに限定されず接合によって一体化して外形を枠状に形成してもよい。また、座側フレーム部１３や背側フレーム部２３の機械的構造を安定化させている補助材１２，２２は省略することも、位置を変えることも、材料を変更することもできる。更には、機械的強度を出すための対応として略コ字状の開口端間を管材、棒材、合成樹脂テープ等で接続してもよい。加えて、座部１０及び背凭部２０の骨格を形成するフレームは、管材で構成されることに限定されず、棒材で構成してもよい。しかし、管材とすることによって、軽量、かつ、低コスト化を図ることができる。
即ち、本発明を実施するに際しては、分離型座椅子１の構成、形状、数量、材質、大きさ、接続関係等については、上記実施の形態に限定されるものではない。
【産業上の利用可能性】
【００８９】
上記実施の形態で説明した分離型座椅子の技術は、座椅子に限られるものではなく、椅子全般に使用できることであり、勿論、車両用のシートにも使用できるものである。
【符号の説明】
【００９０】
１    分離型座椅子
１０  座部
１３  座側フレーム部
１４  座側クッション部
１５  座側表皮材
２０  背凭部
２３  背側フレーム部
２４  背側クッション部
２５  背側表皮材
３０  傾動部
４０  接続芯部
５０  連結部
５１  接続受部
５２  弾接挟持具
５５  接続固定部
６５  肘掛部
【図１】
2013215319.tif 000003
【図２】
2013215319.tif 000004
【図３】
2013215319.tif 000005
【図４】
2013215319.tif 000006
【図５】
2013215319.tif 000007
【図６】
2013215319.tif 000008
【図７】
2013215319.tif 000009
【図８】
2013215319.tif 000010
【図９】
2013215319.tif 000011
【図１０】
2013215319.tif 000012